(57)【特許請求の範囲】
【請求項１】
内部に化粧料及びパフを収容する容器本体に、ヒンジを介して開閉可能に蓋体を設けてなる化粧料容器であって、前記容器本体は、パフを収容する凹部と化粧料を充填した中皿を収容する筒状部とを設けた中枠体を外殻体内に嵌合して固定すると共に、前記中皿の内周面にはメッシュ体を張設した網皿を押圧降下が可能で着脱自在に嵌合支持して構成されてなり、且つ、前記蓋体は、前記パフ収容凹部の対向面には平坦な天蓋部と中皿収容部の対向面には網皿面を押圧する押圧部材を上下動可能に設けた中蓋を外蓋内面に嵌合固定して構成されてなることを特徴とする粉末化粧料容器。
【請求項２】
パフを収容する凹部と化粧料を充填した中皿を収容する筒状部とが一体成形された前記中枠体は、その周縁部に設けた平坦縁部と垂直係合片を外殻体周縁部に係合すると共に、筒状部の下端係合縁部を外殻体底面に設けた支持片に係合せしめて固定して容器本体を構成したことを特徴とする請求項１に記載する粉末化粧料容器。
【請求項３】
前記容器本体は、外形が楕円形をしたやや深皿の形状をなし、該本体の中枠体に設けられたパフ収容凹部は概略Ｄ字形をなし、また、中皿収容筒状部は円形をなしていることを特徴とする請求項１または２に記載する粉末化粧料容器。
【請求項４】
前記容器本体は、パフを収容する凹部と化粧料を充填した中皿を収容する筒状部とを設けた中枠体と容器外側形成する外殻体とが一体成形されてなることを特徴とする請求項１乃至３に記載する粉末化粧料容器。
【請求項５】
前記蓋体に設けた有底筒状の押圧部材は、その外周面に複数の係合凸部が形成されており、前記中蓋の中皿収容部と対向した面に設けられた筒状部の内周面に形成した複数の係合溝に、前記押圧部材の外周面に形成された複数の係合凸部を係合すると共に、前記外蓋内面と押圧部材底面との間に弾性反発体を付勢可能に設けられて押圧部材が慴動可能に保持されていることを特徴とする請求項１に記載する粉末化粧料容器。
【請求項６】
前記中蓋の前記中皿収容部と対向した面に設けられた押圧部材を保持する筒状部の外周部に環状の凹溝を形成し、中皿のフランジ面に密閉するように該凹溝内にシール部材を設けた蓋体を構成したことを特徴とする請求項１乃至５に記載する粉末化粧料容器。
【請求項７】
前記中枠体の筒状部に設けた化粧料を収容する中皿内周面に、係合凹部を形成した環状の網皿受け部材を慴動可能に嵌合して設け、該係合凹部にメッシュ体を張設した網皿支持枠に形成した係合突起部を係合せしめて、網皿は蓋体筒状部に保持された前記押圧部材により降下可能に接して設けられていることを特徴とする請求項１乃至５に記載する粉末化粧料容器。
【請求項８】
前記弾性反発体として、押圧部材の筒状壁部に形成した保持溝内にスプリング部材を付勢可能に設けたことを特徴とする請求項６に記載する粉末化粧料容器。
【請求項９】
前記弾性反発体として、円筒状をしたスポンジ体を付勢可能に設けたことを特徴とする請求項５に記載する粉末化粧料容器。
【請求項１０】
前記弾性反発体として、空気抜き孔を設けて逆杯状に形成したゴム弾性体を付勢可能に設けたことを特徴とする請求項５に記載する粉末化粧料容器。
【発明の詳細な説明】
【０００１】
【発明の属する技術分野】
本発明は、化粧料を収容するコンパクト容器に関するものであり、特に、コンパクト容器の中皿内に収容した粉末化粧料の表面を平らに保ちつつ、化粧料を最後まで均一に使用することができるようにした粉末化粧料容器に係わるものである。
【０００２】
【従来の技術】
従来の粉末の化粧料を収容した容器は、一般的には、円形又は四角形の浅い皿状をした蓋付の容器の内部に充填した粉末化粧料の上面には網皿が張設され、該網皿の上には化粧パフが載置されたものであり、化粧をする際には、蓋を開いて指先に取ったパフを、網皿の上から下方に押し付けて網皿の網目から化粧料を浮き出させて、パフに必要量だけ化粧料を付着させて使用していた。
【０００３】
このような化粧料容器では、網皿は化粧料を充填した中皿の上部縁に固定されて張設されているので、使用時には網皿面がパフにより繰り返し化粧料面に強く押し付けられるので、網皿が粉末化粧料中に埋没して、特に、化粧料を入れた中皿の中央部分のみが窪んでしまい、化粧料を最後まで均一に使い切ることが困難なものであった。
また、このような化粧料容器は持ち歩いたり、運搬したりする最中の振動によって、中皿に収容する化粧料の粉末が流動して片寄ったり、網目から飛び散ったりして、網皿の機能が充分に果たせないことがあった。
【０００４】
そこで、パフでの押圧により網皿の中央部のみが粉末化粧料中に埋没するように、粉末化粧料面の中央部分が窪むのを防止するために、パフによる押圧で網皿の全面が下方へ移動するようにして、化粧料面に網皿及びパフが平坦に接触可能にした考案として、図６に示すように網皿７を保持した枠体６ａの周縁下部に可撓性突片１１を設けて、パフで押圧されると網皿が下方へ移動可能にしたもの（実公昭６２−１４９７３号公報参照）や、実開昭５７−１６１９０８号に記載するように、網皿の外周部に設けた厚手縁部を中皿の周囲に配置した嵌着部に伸縮体により連結して網皿を上下に移動可能にしたもの等が知られている。
【０００５】
しかし、これ等の考案の容器の網皿は、パフを化粧料に押圧する度に網皿自体が全体的に押し下げられた後、引き上げるための弾性突片や伸縮体が設けられていて、使用の度毎に網皿は往復動するものであるから、網皿の構造が複雑になり、費用もかかるものである。
更に、網皿を押し下げるためにパフをやや強く押し付けなくてはならず、パフへの粉末化粧料の付着量を調整するのがむづかしくなり、余分に粉末が付着した場合には払い落さねばならず、更には、パフの使用感が悪くなったり、損ねたりする等の問題があった。
【０００６】
そこで、使用により化粧料が減少すると、網皿が中皿の内周に沿って下降させてネット面が化粧料面に接触するようにして、常時、化粧料が取り出せる位置に網皿を保持するようにしたものとして、図７に示すように、ネット支持枠７ａを中皿内周面に慴動可能に設けて、指先に持ったパフｐにより網皿７表面が押圧されるとネット支持枠７ａが下降するように構成したものであるが、網皿面はパフを介して指先で押圧されるので中央部近くが押圧されて、縁近くは押圧されにくいので、化粧料ｋ面が常に平らになってネット７面と接触するとは限らないし、また、これは粘稠性の化粧料を対象としたものであり、粉末化粧料に適したものではない。（実公平６−１０９０２号公報参照）
【０００７】
【発明が解決しようとする課題】
本発明は、上記の問題点を解決すために、パフへの粉末化粧料の付着量を一定にしたり、または、適量に調整できるようにするのに、構造を簡単にして、且つ、網皿面を常に粉末化粧料面に水平に接触して保つようにして、パフを損ねることも無く、自然な使用感が得られるようにした化粧料容器を提供する。
【０００８】
【課題を解決するための手段】
容器本体の粉末化粧料を収容した中皿の内周面には、網皿受け部材を上下動可能に嵌合支持すると共に、該網皿受け部材にメッシュ体を張設した網皿支持体を係合して設けて、且つ、前記容器本体にヒンジを介して開閉可能に取り付けた蓋体の内側には、前記中皿と対向する面に網皿支持体を押圧する押圧部材を移動可能に支持した内蓋を設けて化粧料容器を構成して、前記蓋体を容器本体に嵌合して閉じた場合には、前記網皿受け部材が押圧部材により押圧されて、メッシュ体が化粧料面に平らに均一に接して保持されるように構成する。
【０００９】
【発明の実施の形態】
平面形状が小さな楕円形又は略長方形をして、やや深底の皿形状をした外殻体２の内部に、パフｐを収容するための平面が概略Ｄ形をした有底の凹部３ａと化粧料５を収容した中皿６を固定するための無底の円筒部３ｂとを設けた中枠体３を嵌合固定してなる容器本体Ａの縁部に、ヒンジ部５ｅを介して開閉可能に蓋体Ｂを取り付けて化粧料容器１を構成して、前記中皿６の内周面に網皿受け部材６ａを上下動及び着脱可能に嵌合して、該網皿受け部材６ａにメッシュ体７ｂを張設した網皿支持体７ａを係合して設けると共に、前記蓋体Ｂの外蓋４の内側には、前記パフ収容凹部３ａと対向する面に鏡ｍを張設した平坦な天蓋部５ａと、前記中皿６収容部と対向する面に円筒状のメッシュ体を押圧する押圧部材８を移動可能に係合せしめて保持する円筒部５ｂとを設けた内蓋５を嵌合して固定し、前記円筒部５ｂには、外蓋４と押圧部材８との間に弾性反発部材９を圧縮して付勢可能に設けて化粧料容器１を形成する。
【００１０】
このように構成した容器の蓋Ｂを閉じると前記弾性部材９が圧縮されて、押圧部材８に付勢力が作用して網皿支持体７ａが押圧されるので、網皿受け部材６ａが下降してメッシュ体７ｂは化粧料面に平らに接した状態で保たれる。
従って、網皿面に化粧料は常に均一に接触しているので、網皿のどの部分の網目にも同じように化粧料が存在し、パフにはいつも同じ量の化粧量を付着させることができる。
【００１１】
【実施例】
以下、本発明の化粧料容器を、一つの実施例に基づいて図面を参照しつつ説明する。
本発明の化粧料容器は、図１乃至図５に示すように、合成樹脂を用いて射出成形等により成形した容器本体Ａと蓋体Ｂとを、以下のように係合して構成したものである。
平面の形状が小楕円形又は略長方形をなし、やや深底の皿状に成形した容器本体Ａを構成する外殻体２は、開口端部には平坦な周縁部２ａが、底面部には中枠体支持部２ｂが形成されており、該外殻体２内には、右半分にパフｐを収容するための略Ｄ形をした有底の凹部３ａを形成し、左半分に化粧料ｋを収容した中皿６を収容固定する無底の円筒部３ｂを形成して中枠体３を構成し、前記外殻体２の開口周縁部２ａに、前記中枠体の周縁部に設けられた平坦な係合部３ｃと垂直な係合片３ｄとを係合せしめ、更に、中枠体３の中皿を収容する前記円筒部３ｂの下端係合部３ｂを、外殻体２底面に設けた中枠体支持部２ｂに係合せしめて、外殻体２に中枠体３を嵌合して固定する。
そして、前記中枠体３の円筒部３ｂ内面に化粧料を収容する中皿６を嵌合して、中皿のフランジ部６ｂを円筒部の周縁に支持して固定し、そして、該中皿の内周面に網皿受け部材６ａを上下に慴動可能に嵌合して、該網皿受け部材の係合凹部にメッシュ体を張設した網皿７の支持体７ａの係合用突起部を係合せしめて容器本体Ａを構成する。
【００１２】
次いで、前記容器本体Ａに設けた中枠体３のパフ収納凹部３ａと対向する面に形成した天蓋部５ａには鏡ｍを張設すると共に、前記中枠体３の中皿６と対向する面には円筒状をして網皿を押圧する押圧部材８を移動可能に係合せしめて保持する円筒部５ｂを形成した内蓋Ｂを、前記容器本体Ａの縁部にヒンジ部５ｅを介して連結してなる蓋体Ｂの外蓋４の内側に嵌合して固定すると共に、前記外蓋４と押圧部材８との間には弾性反発部材が設けられるが、図１に示す実施例に於いては、スプリングからなる弾性部材９が押圧部材８の円筒壁部に形成した環状の保持溝８ａに圧縮可能に保持されて、蓋体Ｂを開閉可能に構成している。
更に、前記蓋体Ｂの円筒部５ｂの外周部の前記中皿６の平坦なフランジ部６ｂに対応した面には、密閉用シール部材を保持するための凹溝５ｃが周設されていて、該凹溝内にはゴムその他の弾性材料からなるシール部材ｓが前記フランジ部６ｂに接して化粧料を密閉可能にするように固定されている。
【００１３】
このような構成にしたことにより、化粧が終わったらパフ収容凹部３ａにパフｐを収容してから容器１の蓋体Ｂを閉じる方向へ回動すると、図５（Ａ）に示すように容器の開口部に設けたロック機構が働いて、中蓋５に設けた突起部５ｄが中枠３に設けた係合突起３ｆに掛止して、ロック部材１０により蓋体Ｂは容器本体Ａに対して閉じた状態に保持される。
この構成としたことにより弾性部材９は押圧部材８と外蓋Ｂとの間で圧縮されて付勢状態になる結果、押圧部材８の表面が網皿７の全面に接触して下方への押圧力が生じ、網皿受け部材６ａは中皿６の内周面に沿って下降するので、網皿７のメッシュ部分７ｂの全面が化粧料面に水平に接した状態に常に保持されることとなる。
【００１４】
前記した蓋体Ｂを容器本体Ａに開閉自在に連結する機構は、図５（Ｂ）に示すように、蓋体の中蓋５の後端部に突出して形成されたヒンジ片５ｅに軸孔５ｆを貫通して設け、該ヒンジ片を容器本体の外殻体２の後縁部に形成したヒンジ受け凹部２ｃに係合せしめて、ヒンジ受け凹部２ｃの壁部に形成した軸受け孔２ｅを貫通して軸ピン２ｄを前記軸孔５ｆに挿通して両者は開閉自在に連結される。
また、上記ロック機構は、図５（Ａ）に示すように、容器本体Ａを構成する中枠３の開口縁部に形成したロック部材１０を収容する凹部３ｅに掛止片１０ａを嵌合して設けられ、前記中枠の開口端部に形成した係合突起部３ｆの下面に、蓋体Ｂを構成する中蓋５の縁寄りに形成した係合突起部５ｄの上面が係合するように設けると共に、前記ロック部材１０には、中枠の係合突起部３ｆの下方に設けた傾斜面３ｇと中蓋の係合突起部５ｄの下端面との間にロック解除片１０ｂが押圧力が作用するように挟着して設けて構成されている。
【００１５】
そして、前記掛止片１０ａの下面には、前記ロック部材１０が脱落しないように前記中枠の凹部３ｅに設けた溝部３ｈに係合せしめる抜止め突起１０ｃが形成されており、且つ、前記ロック解除片１０ｂの基部には可撓部分１０ｄが形成されている。
そこで、化粧をする際に蓋を開くには、ロック部材１０の前面を指先で押し込むと、ロック解除片１０ｂが中枠の係合突起部３ｆの傾斜面３ｇ上を滑って移動しながら中蓋５の係合突起部５ｄを上方へ押し上げられて、蓋体と容器本体との係合関係が開放される。
【００１６】
また、化粧を終えてから蓋を閉じる際には、蓋体Ｂを容器本体Ａ側へ力強く押し付けると、中蓋５に設けた係合突起部５ｄの上端面が中枠３に設けられた係合突起部３ｆの下面に係合してロックされるので、蓋体Ｂは容器本体Ａに密閉状態に掛止される。
【００１７】
上記した実施例に於いては、メッシュ体７ｂを支持体７ａに張設した網皿７を下方へ押下げる押圧部材８に対する押圧手段として、図１に示すように、弾性部材として渦巻きバネのスプリング９を用いたものについて説明したが、本発明はこのようなスプリングに限られるものではなく、図２に示すように、スポンジのような復元力の大きな発泡体を円筒状に形成した弾性部材９ａを用いて、弾性部材を押圧部材８の底面に形成した凹溝８ａ内に圧縮可能に固定したり、また、図３に示すように、ゴム硬度が２０〜９５度のゴムを杯を逆さまにしたような形状に形成して、底部に空気抜き孔９ｃ，９ｄを設けた変形可能な弾性ゴム体９ｂの開口部を、押圧部材８の底面に形成した凹溝８ａ内に嵌合して圧縮可能に固定することにより、押圧力を発生させるようにすることで可能である。
また、容器本体は、外殻体とパフ及び中皿を収容する中枠とを一体成形したものとすることも可能である。
【００１８】
尚、新しい製品には、通常、品質保証のために網皿７面にバージンフィルムが張られていて、該フィルムはシール部材ｓとフランジ部６ｂ及び押圧部材８面とメッシュ体７ｂとで挟持されているので、使用時には、ロック部材１０の前面を指先で押してロック解除片１０ｂを作用させて蓋体Ｂを開いてから、前記バージンフィルムを網皿７面から剥ぎ取った後、パフｐを網皿７面に押し当てて使用することとなる。
【００１９】
【発明の効果】
以上述べたように、本発明の容器は、楕円形の深皿状をした容器本体内に収容した化粧料を充填した中皿の内周面に、メッシュ体を張設した網皿を降下及び着脱が自在に嵌合して設けると共に、蓋体に設けた押圧部材を弾性部材により網皿に対して上下動可能に設けたので、蓋が閉じられている時には押圧部材により網皿は、常に化粧料面に平坦になるように押圧されているので、容器の運搬中に化粧料が流動攪拌して流出することもなく、使用時にはパフに何時も一定量の化粧料を付着させることができる。
網皿が着脱自在に設けてあるので、化粧量を使い尽くした場合には、化粧量の補充を容易に行うことが可能であり、また、網皿は全面が平らに化粧料面に接触しているので、網皿の一部が窪むように押圧されることもなく、網皿は傷みにくく、例え、網皿が傷んだ場合にも、網皿を交換することが容易にできる。
【図面の簡単な説明】
【図１】本発明の第１実施例の容器をＸ−Ｘ断面で示した縦断面図である。
【図２】本発明の第２実施例を示すＸ−Ｘ縦断面図である。
【図３】本発明の第３実施例を示すＸ−Ｘ縦断面図である。
【図４】本発明の容器の本体部を示す平面図である。
【図５（Ａ）】本発明の容器の開口部のロック機構を示す断面図である。
【図５（Ｂ）】本発明の容器の蓋のヒンジ連結部を示す断面図である。
【図６】網皿が降下可能な第１の従来例を示した断面図である。
【図７】網皿が降下可能な第２の従来例を示した断面図である。
【符号の説明】
１    容器全体
２    外殻体
３    中枠体
４    外蓋
５    中蓋
６    中皿
６ａ  網皿受け部材
６ｂ  フランジ部
７    網皿
７ａ  網皿支持枠
７ｂ  メッシュ体
８    押圧部材
９    弾性部材
１０  ロック部材
１１  可撓性突片
Ａ    容器本体部
Ｂ    蓋体
ｋ    化粧料
ｍ    鏡
ｐ    パフ
ｓ    シール部材
【図１】
0003731190.tif 000002
【図２】
0003731190.tif 000003
【図３】
0003731190.tif 000004
【図４】
0003731190.tif 000005
【図５】
0003731190.tif 000006
【図６】
0003731190.tif 000007
【図７】
0003731190.tif 000008